(57)【要約】【課題】多角的なネット販売を円滑に行うことができる消費材機器材受注管理システムを提供することである。【解決手段】管理装置１は、通信回線１０を介してユーザー端末２と通信可能に接続されている。管理装置１は、ユーザーに提供可能な提供項目として、少なくとも、消費材品目と、レンタル可能な機器材品目とを含む提供項目データを記憶可能であり、ユーザー受注内容に基づいて消費材品目および機器材品目をユーザー別に登録可能である。管理装置１は、該登録データに係る消費材品目を第１通信端末１１を通じて消費材提供者に発注し、機器材品目を第２通信端末１２を通じて機器材提供者に発注可能になっている。【選択図】図１
2017182467.tif 000002
【特許請求の範囲】
【請求項１】
通信回線を介してユーザー端末と通信可能に接続された管理装置によって、該ユーザー端末を介してユーザーから受注し、該受注の管理を行う消費材機器材受注管理システムであって、
前記管理装置は、
ユーザーで消費される消費材をユーザーに提供可能な消費材提供者の第１通信端末および前記消費材に関連してユーザーにレンタルされる機器材をユーザーに提供可能な機器材提供者の第２通信端末と通信可能に接続され、
前記管理装置は、
ユーザーに提供可能な提供項目として、少なくとも、消費材品目と、レンタル可能な機器材品目とを含む提供項目データを記憶する提供項目記憶手段と、
ユーザーからの受注に基づいて、前記提供項目記憶手段の消費材品目および機器材品目をユーザー別に登録する登録手段と、
該登録に係る消費材品目を前記第１通信端末を通じて前記消費材提供者に発注する消費材発注手段と、
該登録に係る機器材品目を前記第２通信端末を通じて前記機器材提供者に発注する機器材発注手段と、を有し、
前記消費材提供者および前記機器材提供者から、ユーザーへの発注品目の提供済みデータを受信した場合、前記登録手段に登録し、
前記機器材提供者から、ユーザーからの機器材品目の返却データを受信した場合、前記登録手段に登録することを特徴とする消費材機器材受注管理システム。
【請求項２】
前記管理装置は、
ユーザーを特定し得る会員ユーザー用識別データにより、会員ユーザーからの受注に関する発注および登録を行う会員用管理端末を有し、
前記会員用管理端末は、
会員ユーザーからの受注に係る消費材品目および機器材品目を会員ユーザー別に登録する会員用登録手段を有し、
前記会員用登録手段による登録が終了すると、前記管理装置は、前記消費材品目を前記第１通信端末を通じて前記消費材提供者に発注し、
前記機器材品目を前記第２通信端末を通じて前記機器材提供者に発注する、
請求項１に記載の消費材機器材受注管理システム。
【請求項３】
前記管理装置は、
ユーザーを特定し得る会員ユーザー用識別データにより、会員ユーザーからの受注に関する発注および登録を行う会員管理端末を有し、
前記会員管理端末は、
会員ユーザーからの受注に係る消費材品目および機器材品目を会員ユーザー別に登録する会員登録手段と、
前記会員登録手段による登録に係る消費材品目を前記第１通信端末を通じて前記消費材提供者に発注する会員消費材発注手段と、
前記会員登録手段による登録に係る機器材品目を前記第２通信端末を通じて前記機器材提供者に発注する会員機器材発注手段と、を有し、
前記消費材提供者および前記機器材提供者から、会員ユーザーへの発注品目の提供済みデータを受信した場合、前記会員登録手段に登録し、
前記機器材提供者から、会員ユーザーからの機器材品目の返却データを受信した場合、前記会員登録手段に登録する、
請求項１に記載の消費材機器材受注管理システム。
【請求項４】
前記管理装置および前記会員管理端末は、
前記消費材提供者および／または前記機器材提供者から、ユーザーへの発注品目の提供済みデータを受信した場合、ユーザーに対する受注内容に関する支払請求を実行可能にする支払請求処理手段を有する、
請求項１または３に記載の消費材機器材受注管理システム。
【請求項５】
前記登録に係る情報は、１つの受注につき、該受注に係る提供を享受する１以上のユーザーに関する顧客情報を含む、
請求項１〜４のいずれかに記載の消費材機器材受注管理システム。
【請求項６】
前記登録に係る顧客情報に基づいて、ユーザー向けの商品紹介情報を提供する商品紹介情報提供手段を有する、
請求項１〜５のいずれかに記載の消費材機器材受注管理システム。
【請求項７】
前記提供項目記憶手段は、複数種の消費材品目および機器材品目の組合せに係る提供項目データを記憶し、ユーザー側でいずれかの組合せに係る提供項目を選択して発注する、
請求項１〜６のいずれかに記載の消費材機器材受注管理システム。
【請求項８】
消費材品目は、食材品目であり、機器材品目は、少なくとも該食材品目の調理、加工、盛付に必要な品目で構成されている、
請求項１〜７のいずれかに記載の消費材機器材受注管理システム。
【発明の詳細な説明】
【技術分野】
【０００１】
本発明は、食材等の消費材と、該消費材に関連してレンタルされる機器材の注文を通信回線を介してユーザーから受注し、該受注の管理を行う消費材機器材受注管理システムに関する。
【背景技術】
【０００２】
インターネット等のネットワークの普及がすすみ、パソコンや携帯電話機を使用してネットワーク上の仮想店舗でショッピングを行う所謂ネットショッピングが商品の一販売形態として行われている。
【０００３】
特許文献１には、ネット販売形態における販売管理システムが開示されている。この種のネット販売形態では、ネット取引を経て、ユーザーの注文した商品は物流業者を介して配送されて、ネット注文に係る商品の配送、代金の請求等の業務管理が行われる。このネット販売形態は、ネット販売に係る商品を一方向的にユーザーに販売する一方向的流通システムに適している。
【先行技術文献】
【特許文献】
【０００４】
【特許文献１】特開２００３−８９４２５号公報
【発明の概要】
【発明が解決しようとする課題】
【０００５】
しかしながら、ネット注文により商品のみならず、物品回収を伴うレンタル物品を取り扱ってネット取引マーケットを多角的に拡張する場合、上記の一方向的流通システムを適用することが難しいという問題があった。
【０００６】
本発明は、上記課題に鑑み、多角的なネット販売を円滑に行うことができる消費材機器材受注管理システムを提供することを目的とする。
【課題を解決するための手段】
【０００７】
本発明は、上記課題を解決するために提案されたものであって、
本発明に係る第１の形態は、
通信回線を介してユーザー端末と通信可能に接続された管理装置によって、該ユーザー端末を介してユーザーから受注し、該受注の管理を行う消費材機器材受注管理システムであって、
前記管理装置は、
ユーザーで消費される消費材をユーザーに提供可能な消費材提供者の第１通信端末および前記消費材に関連してユーザーにレンタルされる機器材をユーザーに提供可能な機器材提供者の第２通信端末と通信可能に接続され、
前記管理装置は、
ユーザーに提供可能な提供項目として、少なくとも、消費材品目と、レンタル可能な機器材品目とを含む提供項目データを記憶する提供項目記憶手段と、
ユーザーからの受注に基づいて、前記提供項目記憶手段の消費材品目および機器材品目をユーザー別に登録する登録手段と、
該登録に係る消費材品目を前記第１通信端末を通じて前記消費材提供者に発注する消費材発注手段と、
該登録に係る機器材品目を前記第２通信端末を通じて前記機器材提供者に発注する機器
材発注手段と、を有し、
前記消費材提供者および前記機器材提供者から、ユーザーへの発注品目の提供済みデータを受信した場合、前記登録手段に登録し、
前記機器材提供者から、ユーザーからの機器材品目の返却データを受信した場合、前記登録手段に登録することを特徴とする消費材機器材受注管理システムである。
【０００８】
本発明に係る第２の形態は、
前記管理装置は、
ユーザーを特定し得る会員ユーザー用識別データにより、会員ユーザーからの受注に関する発注および登録を行う会員用管理端末を有し、
前記会員用管理端末は、
会員ユーザーからの受注に係る消費材品目および機器材品目を会員ユーザー別に登録する会員用登録手段を有し、
前記会員用登録手段による登録が終了すると、前記管理装置は、前記消費材品目を前記第１通信端末を通じて前記消費材提供者に発注し、
前記機器材品目を前記第２通信端末を通じて前記機器材提供者に発注する消費材機器材受注管理システムである。
【０００９】
本発明に係る第３の形態は、
前記管理装置は、
ユーザーを特定し得る会員ユーザー用識別データにより、会員ユーザーからの受注に関する発注および登録を行う会員管理端末を有し、
前記会員管理端末は、
会員ユーザーからの受注に係る消費材品目および機器材品目を会員ユーザー別に登録する会員登録手段と、
前記会員登録手段による登録に係る消費材品目を前記第１通信端末を通じて前記消費材提供者に発注する会員消費材発注手段と、
前記会員登録手段による登録に係る機器材品目を前記第２通信端末を通じて前記機器材提供者に発注する会員機器材発注手段と、を有し、
前記消費材提供者および前記機器材提供者から、会員ユーザーへの発注品目の提供済みデータを受信した場合、前記会員登録手段に登録し、
前記機器材提供者から、会員ユーザーからの機器材品目の返却データを受信した場合、前記会員登録手段に登録する消費材機器材受注管理システムである。
【００１０】
本発明に係る第４の形態は、
前記管理装置および前記会員管理端末は、
前記消費材提供者および／または前記機器材提供者から、ユーザーへの発注品目の提供済みデータを受信した場合、ユーザーに対する受注内容に関する支払請求を実行可能にする支払請求処理手段を有する消費材機器材受注管理システムである。
【００１１】
本発明に係る第５の形態は、
前記登録に係る情報は、１つの受注につき、該受注に係る提供を享受する１以上のユーザーに関する顧客情報を含む消費材機器材受注管理システムである。
【００１２】
本発明に係る第６の形態は、
前記登録に係る顧客情報に基づいて、ユーザー向けの商品紹介情報を提供する商品紹介情報提供手段を有する消費材機器材受注管理システムである。
【００１３】
本発明に係る第７の形態は、
前記提供項目記憶手段は、複数種の消費材品目および機器材品目の組合せに係る提供項
目データを記憶し、ユーザー側でいずれかの組合せに係る提供項目を選択して発注する消費材機器材受注管理システムである。
【００１４】
本発明に係る第８の形態は、
消費材品目は、食材品目であり、機器材品目は、少なくとも該食材品目の調理、加工、盛付に必要な品目で構成されている消費材機器材受注管理システムである。
【発明の効果】
【００１５】
本発明に係る第１の形態によれば、以下の（ａ）〜（ｆ）の特徴的構成を有し、
（ａ）管理装置は、ユーザーで消費される消費材をユーザーに提供可能な消費材提供者の第１通信端末および消費材に関連してユーザーにレンタルされる機器材をユーザーに提供可能な機器材提供者の第２通信端末と通信可能に接続され、
（ｂ）提供項目記憶手段により、ユーザーに提供可能な提供項目として、少なくとも、消費材品目と、レンタル可能な機器材品目とを含む提供項目データを記憶し、
（ｃ）登録手段により、ユーザーからの受注に基づいて、提供項目記憶手段の消費材品目および機器材品目をユーザー別に登録し、
（ｄ）消費材発注手段により、該登録に係る消費材品目を第１通信端末を通じて消費材提供者に発注し、
（ｅ）機器材発注手段により、該登録に係る機器材品目を第２通信端末を通じて機器材提供者に発注し、
（ｆ）消費材提供者および機器材提供者から、ユーザーへの発注品目の提供済みデータを受信した場合、登録手段に登録し、機器材提供者から、ユーザーからの機器材品目の返却データを受信した場合、登録手段に登録することができる。
【００１６】
したがって、本形態においては、通信回線を介してユーザー端末と通信可能に接続された管理装置によって、消費材および消費材に関連してユーザーにレンタルされるレンタル機器材の複合販売取引を円滑に行え、多角的なネット取引を実行し得る消費材機器材受注管理システムを実現することができる。
【００１７】
本発明に係る第２の形態によれば、
（ｇ）管理装置は、ユーザーを特定し得る会員ユーザー用識別データにより、会員ユーザーからの受注に関する発注および登録を行う会員用管理端末を有し、
会員用管理端末は、
（ｈ）会員用登録手段により、会員ユーザーからの受注に係る消費材品目および機器材品目を会員ユーザー別に登録し、
（ｉ）会員用登録手段による登録が終了すると、管理装置は、消費材品目を第１通信端末を通じて消費材提供者に発注し、機器材品目を第２通信端末を通じて機器材提供者に発注するすることができるので、一般ユーザーとは別に識別管理される会員ユーザーに対して、会員用管理端末によって登録管理を的確に行いながら、管理装置によって消費材およびレンタル機器材の複合販売取引を円滑に行え、多角的なネット取引を実行し得る消費材機器材受注管理システムを実現することができる。
【００１８】
本発明に係る第３の形態によれば、
（ｊ）管理装置は、ユーザーを特定し得る会員ユーザー用識別データにより、会員ユーザーからの受注に関する発注および登録を行う会員管理端末を有し、
会員管理端末は、
（ｋ）会員登録手段により、会員ユーザーからの受注に係る消費材品目および機器材品目を会員ユーザー別に登録し、
（ｌ）会員消費材発注手段により、会員登録手段による登録に係る消費材品目を第１通信端末を通じて消費材提供者に発注し、
（ｍ）会員機器材発注手段により、会員登録手段による登録に係る機器材品目を第２通信端末を通じて機器材提供者に発注し、
（ｎ）消費材提供者および機器材提供者から、会員ユーザーへの発注品目の提供済みデータを受信した場合、会員登録手段に登録し、機器材提供者から、会員ユーザーからの機器材品目の返却データを受信した場合、会員登録手段に登録することができるので、会員管理端末によって、一般ユーザーとは別に識別管理される会員ユーザーに対して、消費材およびレンタル機器材の複合販売取引を円滑に行え、多角的なネット取引を実行し得る消費材機器材受注管理システムを実現することができる。
【００１９】
本発明に係る第４の形態によれば、支払請求処理手段により、消費材提供者および／または機器材提供者から、ユーザーへの発注品目の提供済みデータを受信した場合、ユーザーに対する受注内容に関する支払請求を実行可能にするので、適切なタイミングで支払請求を行って、消費材およびレンタル機器材の複合販売取引を円滑に行え、多角的なネット取引を実行し得る消費材機器材受注管理システムを実現することができる。
【００２０】
本発明に係る第５の形態によれば、登録に係る情報は、１つの受注につき、該受注に係る提供を享受する１以上のユーザーに関する顧客情報を含むので、１つの消費材およびレンタル機器材の受注を通じて顧客獲得の機会が増大して顧客情報の効率的な収集を行って、消費材およびレンタル機器材の複合販売取引を円滑に行え、多角的なネット取引を実行し得る消費材機器材受注管理システムを実現することができる。
【００２１】
本発明に係る第６の形態によれば、商品紹介情報提供手段により、登録に係る顧客情報に基づいて、ユーザー向けの商品紹介情報を提供するので、各ユーザーに対する商品紹介情報を的確に提供でき、顧客獲得の拡充に有効な消費材機器材受注管理システムを提供することができる。
【００２２】
本発明に係る第７の形態によれば、提供項目記憶手段は、複数種の消費材品目および機器材品目の組合せに係る提供項目データを記憶し、ユーザー側でいずれかの組合せに係る提供項目を選択して発注するので、消費材提供者および機器材提供者に提供項目データに基づくユーザー取次を担わせて、食材およびレンタル機器材の発注および納入管理を行うだけで、広範囲の消費材およびレンタル機器材の取り扱いを行える消費材機器材受注管理システムを実現することができる。
【００２３】
本発明に係る第８の形態によれば、消費材品目は、食材品目であり、機器材品目は、少なくとも該食材品目の調理、加工、盛付に必要な品目で構成されているので、多様なユーザーニーズに応じた消費材機器材受注管理システムを実現することができる。
【図面の簡単な説明】
【００２４】
【図１】図１は、本発明の一実施形態である消費材機器材受注管理システムの全体構成図である。
【図２】図２は、図１の消費材機器材受注管理システムにおけるユーザー端末２による発注処理を示す図である。
【図３】図３は、前記消費材機器材受注管理システムにおける受注処理の概要を示すフローチャートである。
【図４】図４は、前記実施形態におけるメインサーバー４による主な受注処理の概要を示すフローチャートである。
【図５】図５は、前記実施形態における発注処理を示すフローチャートである。
【図６】図６は、前記実施形態における受注管理処理を示すフローチャートである。
【図７】図７は、前記実施形態における支払管理処理を示すフローチャートである。
【図８】図８は、メインサーバー４による情報発信処理を示すフローチャートである。
【図９】図９は、本発明の別の実施形態である消費材機器材受注管理システムの全体構成図である。
【図１０】図１０は、図９の実施形態におけるメインサーバー４による受注処理の概要を示すフローチャートである。
【図１１】図１１は、会員サーバー５による主な受注処理を示すフローチャートである。
【図１２】図１２は、会員サーバー５による情報発信処理を示すフローチャートである。
【図１３】図１３は、ユーザー発注情報例を示す図である。
【図１４】図１４は、発注メニュー例を示す図である。
【発明を実施するための形態】
【００２５】
以下に、本発明に係る消費材機器材受注管理システムの実施形態を添付する図面に従って詳細に説明する。
【００２６】
図１は、本実施形態に係る消費材機器材受注管理システムの全体構成を示す。
【００２７】
本実施形態に係る消費材機器材受注管理システムは、管理装置１を有する。管理装置１は、主たる管理コンピュータ（ホストコンピュータ）であるメインサーバー４と、会員専用コンピュータである会員用管理端末としての会員サーバー５を有する。メインサーバー４および会員サーバー５は、通信可能に接続されており、それぞれのサーバーには、データファイル６、７が接続されている。本実施形態においては、管理装置１に対する直接的ないし間接的な協力部門端末として、第１通信端末１１、第２通信端末１２および通信端末１３〜１５が使用可能になっている。
【００２８】
メインサーバー４は、通信回線（公衆回線を利用したネットワーク）１０を介してユーザー端末２とネット通信可能に、通信ライン１ａを通じて接続されている。
【００２９】
データファイル６は、メインサーバー４により管理されるユーザー管理情報を記憶する。データファイル７は、会員に関する会員ユーザー管理情報を記憶する。
【００３０】
ユーザー端末２には、図１に例示するように、例えば、ユーザー所有のパソコン８や携帯電話機９、あるいはタブレット等のモバイル機器を使用することができる。
【００３１】
管理装置１は、メインサーバー４を介して、ユーザーで消費される消費材をユーザーに提供可能な消費材提供者の第１通信端末１１および消費材に関連してユーザーにレンタルされるレンタル機器材をユーザーに提供可能な機器材提供者の第２通信端末１２と通信可能に接続されている。第１通信端末１１および第２通信端末１２は、例えば、各提供者の所有するパソコンやモバイル機器である。各提供者と、管理装置１を保有して本消費材機器材受注管理システムを経営管理する経営本部との間で、所定の食材ないし機器材の提供に関する取引契約が締結されており、本部管理下でユーザー向けに食材ないし機器材の提供が行われる。消費材提供者と機器材提供者は、提供メニューに応じた一組ないし複数組が本部管理下にあり、図１には、一組の消費材提供者と機器材提供者を例示している。
【００３２】
図１３は、ユーザー発注情報例を示し、図１４は、発注メニュー例を示す。
【００３３】
ユーザーに提供可能なメニューは、図１４の例示のように、主に、家族、友人、職場仲間、町内会のメンバー等が集いあって食事する内容（鍋料理、焼き物料理、自作料理等）が含まれている。例えば、鍋料理の場合、食材として「かに」および「かに鍋」具材が提
供可能になっている。メニュー品目の食材と合わせて、該食材の調理、加工、盛り付けに必要な機器材がレンタル物品として。料理発注時に提供可能になっている。例えば、鍋料理の場合、食材に応じて土鍋、鉄鍋等の機器材がレンタル可能であり、ユーザーサイドでは何らの準備をしなくても鍋料理を調理して食することができる。盛付機器材は、大皿、取り皿、椀等である。食材や機器材には、付属品として箸やスプーン等の使い捨て部材も含むことができる。これらの使い捨て部材は、ユーザーに供与され、レンタル物品として取り扱われない。加工機器材は、例えば、ユーザーが手打ち麺を自作して食する自作メニューにおける手打ち道具である。機器材には、鍋や鉄板の道具類に限らず、オプションとして発注可能にした人材、例えば、自作メニューにおける麺打ちを講習する麺職人等を含むことができる。図示しないが、オプション用機器材には、カラオケ機器やパーティー用グッズ等も含まれている。さらに、食材や機器材はユーザーニーズに細やかに対応し得る細目が用意されている。食材では、例えば、発注量、薬味、だし汁種別等が選択可能であり、また、機器材では、例えば、特定の鍋等において、ＩＨ電気対応またはガスコンロ対応の鍋種別が適宜選択可能になっている。
【００３４】
データファイル６およびデータファイル７は、提供項目記憶手段を構成し、図１４に例示した、ユーザーに提供可能な提供項目として、少なくとも、消費材品目と、レンタル可能な機器材品目とを含む提供項目データが記憶、格納されている。
【００３５】
管理装置１は、所定のユーザーからの受注内容に基づいて、提供項目記憶手段の消費材品目および機器材品目をユーザー別に登録する登録手段を有する。図１３は、該登録手段によって登録される主な登録データ（ユーザー受注情報）を示す。所定のユーザーのうち、会員登録されていない一般ユーザーに関する提供項目データは、メインサーバー４による登録処理が行われる。会員登録されている会員ユーザーに関する提供項目データは、会員サーバー５による登録処理が行われる。メインサーバー４は、登録データ記憶手段であるデータファイル６に、ユーザー発注に伴ってユーザー端末２を介して受信した登録データをユーザー別に記憶することができる。会員サーバー５は、会員登録データ記憶手段であるデータファイル７に、会員ユーザー発注に伴ってユーザー端末２を介して受信した登録データを会員ユーザー別に記憶することができる。
【００３６】
図２は、本実施形態に係る消費材機器材受注管理システムにおけるユーザー端末２による発注処理を示す。
【００３７】
ユーザーは、パソコン３や携帯電話機４を用いて通信回線１０を介してメインサーバー４にアクセスしてネット接続することにより管理装置１が開設する料理発注サイトを開くことができる（ステップＳ５１、Ｓ５２）。ついで、該サイトの発注ページをアクセスし、発注ページの発注画面表示（図示せず）を見てメニュー選択入力して所望の商品を発注することができる（ステップＳ５３、Ｓ５４）。
【００３８】
発注に際しては所定の個人情報の入力を行う必要がある（ステップＳ５５）。ユーザー入力情報は、顧客情報（氏名、年齢、メール情報、連絡先電話番号等）と、発注情報（品目、個数（セット数）、品目の搬入希望日等）である。発注すると、ポイント特典が本部より付与可能になっている。該ポイントは所定数に達すると、有利な特典（例えば、記念品ないし割引）が付与可能になっている。また、会員登録が可能であり、登録した場合、会員番号が付与可能になっている（ステップＳ５６、Ｓ５７）。上記顧客情報には、会員番号も含まれる。会員ユーザーによる発注の場合、非会員の一般ユーザーよりも有利なポイント特典の付与が行われる。
【００３９】
発注者は１名あるいは２名以上登録可能になっている。また、発注者以外で当該発注品目を利用する者を参加者として登録可能になっている。例えば、グループでの鍋料理パー
ティを企画している場合、発注者以外のパーティ参加者を登録することができる。参加者の中に会員がいれば、ポイント特典が該参加者に付与可能になっている。
【００４０】
顧客情報の受付を終えると、受注契約の決裁に必要なユーザー保有のクレジットデータの入力が受け付けられる（ステップＳ５８）。入力されたクレジットデータに基づいて与信処理が行われる（ステップＳ５９）。与信結果が決裁不可の場合、該発注はキャンセル扱いとなり、決裁可の場合、該発注は受諾されて、発注ユーザーは発注明細の受信を受け取ることができる（ステップＳ６０）。
【００４１】
図３は、本実施形態に係る消費材機器材受注管理システムにおける受注処理の概要を示す。
【００４２】
図２の手順でユーザーからの発注があると、メインサーバー４は、会員による発注か否かを判断する（ステップＳ６、Ｓ７）。非会員の一般ユーザーによる発注の場合、メインサーバー４による受注処理が行われる（ステップＳ９）。会員ユーザーによる発注の場合、メインサーバー４から、会員サーバー５に対して、会員登録処理の指示が当該会員ユーザーによる発注情報とともに送信される。会員サーバー５による会員登録処理においては、会員ユーザーからの受注に係る消費材品目および機器材品目を、会員用登録手段であるデータファイル７に、会員ユーザー別に登録、記憶することが実行可能になっている。会員サーバー５による会員登録処理が行われて終了すると（ステップＳ８）、メインサーバー４による受注処理の実行が可能になる（ステップＳ９）。
【００４３】
図４は、メインサーバー４による主な受注処理の概要を示す。
【００４４】
メインサーバー４により実行される処理機能には、発注ユーザーによる入力顧客情報を管理するための顧客情報処理（ステップＳ１）、与信処理（上記ステップＳ５９参照）含むクレジット決裁処理を行う決裁処理（ステップＳ２）、ユーザーの発注内容に基づく発注処理（ステップＳ３）、主にレンタル機器材の返却管理を行うための受注管理処理（ステップＳ４）および受注に係る支払管理を行うための支払管理処理（ステップＳ５）が含まれている。顧客情報処理（ステップＳ１）には、新規会員登録を行うための会員登録処理（上記ステップＳ５７参照）が含まれている。
【００４５】
図５は、メインサーバー４により実行される発注処理を示す。発注処理には、食材の発注に関する食材発注処理（５Ａ）と、機器材の発注に関する機器材発注処理（５Ｂ）とが含まれ、両発注処理はパラレル実行可能になっている。
【００４６】
発注処理においては、ユーザー端末２から受信した登録データのうち、発注品目の食材および機器材を判別して、通信回線１０を介して該当食材メーカ（食材提供者）および該当機器材メーカ（機器材提供者）に発注が行われる。メインサーバー４は、発注手段として、登録データに係る消費材品目（食材品目）を第１通信端末５を通じて消費材提供者に発注する食材発注手段（ステップＳ２１〜Ｓ２５）と、該登録データに係る機器材品目を第２通信端末６を通じて機器材提供者に発注する機器材発注手段（ステップＳ２７〜Ｓ３１）を有している。該登録データには、品目データ、ユーザー提供先データ、納品日データ等が含まれている。
【００４７】
食材発注済の記録が当該顧客の発注データファイルにない場合、食材データに基づく発注指示および食材データが消費材提供者に送信される（ステップＳ２０〜Ｓ２２）。消費材提供者からの受任応答の返信を確認した場合、食材発注済の記録が発注データファイルに行われる（ステップＳ２３、Ｓ２４）。消費材提供者からの受任応答には、食材の在庫データも含まれている。この在庫データの受信により、データファイル６の消費材在庫デ
ータファイルが更新される（ステップＳ２５）。在庫切れが生ずると、受注の際にユーザーに向けて該食材品目のオーダーストップの報知が行われる。
【００４８】
機器材発注済の記録が当該顧客の発注データファイルにない場合、機器材データに基づく発注指示および機器材データが機器材提供者に送信される（ステップＳ２６〜Ｓ２８）。機器材提供者からの受任応答の返信を確認した場合、機器材発注済の記録が発注データファイルに行われる（ステップＳ２９、Ｓ３０）。機器材提供者からの受任応答には、機器材の在庫データも含まれている。この機器材データの受信により、データファイル６の機器材在庫データファイルが更新される（ステップＳ３１）。この場合にも在庫切れが生ずると、受注の際にユーザーに向けて該機器材品目のオーダーストップの報知が行われる。なお、提供者との通信により、突発的な在庫切れ等の納品不能や納品遅れが発生する場合、図示しないイレギュラー処理が実行可能になっている。各発注手段の発注処理は、自動送信あるいはオペレータ入力による送信のいずれかで行うことができる。
【００４９】
特に、発注機器材に所定の人材が含まれる場合、人材派遣が提供可能なスタッフサービス提供者の通信端末１５に対し、通信回線１０を介して機器材提供者から提供指示が行われる。人材派遣の場合、管理装置１からスタッフサービス提供者の通信端末１５に直接発注指示を行うようにしてもよい。
【００５０】
食材提供者は、管理装置１からの提供を受けて、第１通信端末１１を用いて宅配業者等の食材配達業者の通信端末１３に配達依頼を行うことにより、食材発注データに基づく食材の納品が行われる（流通ラインＬＦ参照）。
【００５１】
機器材提供者は、管理装置１からの提供を受けて、第１通信端末１２を用いて宅配業者等の機器材配達業者の通信端末１４に配達依頼を行うことにより、機器材発注データに基づく機器材の納品が行われる（流通ラインＬＥ参照）。レンタル機器材は、ユーザーから機器材配達業者の通信端末１４等に連絡して機器材配達業者による返送によって機器材提供者に返却可能になっている（流通ラインＲＥ参照）。人材派遣の場合、スタッフサービス提供者からユーザーに人材派遣が行われる（流通ラインＬＭ参照）。人材派遣の終了後は、機器材提供者またはスタッフサービス提供者から派遣業務の終了が管理装置１に送信可能になっている。食材配達業者および機器材配達業者は必ずしも同じである必要はない。同一の配達業者を使用して、発注食材とそれに付属するレンタル機器材を集荷して同時に配送することができる。食材提供者と機器材提供者は必ずしも別異の業者でなくてもよい。食材およびそれに関連したレンタル機器材を一括して提供可能な提供業者を用いれば、食材およびレンタル機器材を揃えて同時配達を確実に行うことができる。
【００５２】
本実施形態に係る消費材機器材受注管理システムにおいて、
（ａ）管理装置１は、ユーザーで消費される消費材（食材）をユーザーに提供可能な消費材提供者の第１通信端末１１および消費材に関連してユーザーにレンタルされる機器材をユーザーに提供可能な機器材提供者の第２通信端末１２と通信可能に接続され、
（ｂ）提供項目記憶手段により、ユーザーに提供可能な提供項目として、少なくとも、消費材品目と、レンタル可能な機器材品目とを含む提供項目データを記憶し、
（ｃ）登録手段により、ユーザーからの受注に基づいて、提供項目記憶手段の消費材品目および機器材品目をユーザー別に登録し、
（ｄ）消費材発注手段により、該登録に係る消費材品目を第１通信端末１１を通じて消費材提供者に発注し、
（ｅ）機器材発注手段により、該登録に係る機器材品目を第２通信端末１２を通じて機器材提供者に発注し、
（ｆ）消費材提供者および機器材提供者から、ユーザーへの発注品目の提供済みデータを受信した場合、登録手段に登録し、機器材提供者から、ユーザーからの機器材品目の返却
データを受信した場合、登録手段に登録することができる。
【００５３】
したがって、本実施形態に係る消費材機器材受注管理においては、通信回線１０を介してユーザー端末２と通信可能に接続された管理装置１によって、消費材および消費材に関連してユーザーにレンタルされるレンタル機器材の複合販売取引を円滑に行え、多角的なネット取引を実行することができる。
【００５４】
さらに、本実施形態においては、
（ｇ）管理装置１は、ユーザーを特定し得る会員ユーザー用識別データにより、会員ユーザーからの受注に関する発注および登録を行う会員用管理端末（会員サーバー５）を有し、
会員サーバー５は、
（ｈ）会員用登録手段（データファイル７）により、会員ユーザーからの受注に係る消費材品目および機器材品目を会員ユーザー別に登録し、
（ｉ）会員用登録手段による登録が終了すると、管理装置１は、消費材品目を第１通信端末１１を通じて消費材提供者に発注し、機器材品目を第２通信端末１２を通じて機器材提供者に発注するすることができるので、一般ユーザーとは別に識別管理される会員ユーザーに対して、会員用管理端末によって登録管理を的確に行いながら、管理装置１によって消費材およびレンタル機器材の複合販売取引を円滑に行え、多角的なネット取引を実行することができる。
【００５５】
本実施形態においては、上記提供項目記憶手段に、複数種の消費材品目および機器材品目の組合せに係る提供項目データを記憶し、ユーザー側でいずれかの組合せに係る提供項目を選択して発注可能になるので、消費材提供者および機器材提供者に提供項目データに基づくユーザー取次を担わせて、食材およびレンタル機器材の発注および納入管理を行うだけで、広範囲の消費材およびレンタル機器材の取り扱いを行える消費材機器材受注管理システムを実現することができる。
【００５６】
特に、本実施形態によれば、消費材品目は、食材品目であり、機器材品目は、少なくとも該食材品目の調理、加工、盛付に必要な品目で構成されているので、多様なユーザーニーズに応じた消費材機器材受注管理システムを実現することができる。
【００５７】
図６は、受注管理処理（ステップＳ４）の詳細を示す。
【００５８】
ユーザー発注に基づいて所定の食材およびレンタル機器材を納品した場合、レンタル機器材の返却管理が管理装置１により行われる。レンタル機器材には、所定期日の返却期限（例えば、納品後３週間以内などの期限）が予め付加されて設定されている。発注済データ群から返却期限切れのあるデータを、毎日、定期的に監視し、返却切れのあるデータがあれば、該当品目の回収指示が第２通信端末１２に送信される（ステップＳ３５、Ｓ３９）。
【００５９】
機器材提供者にユーザーからレンタル機器材が返却され、その旨の送信が第２通信端末１２により管理装置１に行われた場合、当該ユーザーの登録データファイルの発注済データファイルにその旨を入力することによって、該レンタル機器材の返却が登録される（ステップＳ３６〜Ｓ３８）。
【００６０】
図７は、支払管理処理（ステップＳ５）の詳細を示す。
【００６１】
メインサーバー４は、消費材提供者および機器材提供者から、ユーザーへの発注品目の提供済みデータを受信した場合（ステップＳ４０）、受注内容に応じたユーザーに対する
支払請求指示および支払請求内容（支払金額、支払期限等）を、支払請求および支払金の回収を代行する出納代行会社（クレジット会社）の管理端末（図示せず）に送信（ステップＳ４２）する支払請求処理手段を有する。
【００６２】
支払請求指示および支払請求内容支払請求情報の送信後、出納代行会社の管理端末からの受任応答を確認して、当該ユーザーの登録データファイルの請求済データファイルにその旨を入力することによって、支払請求済が登録される（ステップＳ４３、Ｓ４４）。支払請求済であるにも関わらず何かの誤受信が発生した場合（ステップＳ４１）には、図示しないイレギュラー処理が行われる。支払請求情報送信手段の送信処理は、自動送信あるいはオペレータ入力による送信のいずれかで行うことができる。
【００６３】
本実施形態における上記支払請求処理手段により、消費材提供者および機器材提供者から、ユーザーへの発注品目の提供済みデータを受信した場合、ユーザーに対する受注内容に関する支払請求を実行可能にするので、適切なタイミングで支払請求が行って、消費材およびレンタル機器材の複合販売取引を円滑に行え、多角的なネット取引を実行することができる。
【００６４】
消費材（食材）および機器材の提供が１セット単位になっているので、消費材提供者および機器材提供者のいずれか一方から、ユーザーへの発注品目の提供済みデータを受信した場合に、受注内容に関するユーザーに対する支払請求処理を実行可能にすることができる。
【００６５】
本実施形態では、図１４に示したように、受注品目が多人数利用に係る品目であるから、図１３に示したように、１つの受注につき、該受注に係る提供を享受する１以上のユーザーに関する顧客情報を登録可能にして多くの顧客情報の効率的収集が可能になる。したがって、管理装置１の登録手段に記憶したユーザーの登録情報に基づいて、該ユーザーに対して新製品やキャンペーン等の商品紹介情報を提供する商品紹介情報提供手段を設けて、顧客獲得の拡大および販売促進に寄与することができる。
【００６６】
図８は、メインサーバー４による情報発信処理を示す。図１０は、会員サーバー５による情報発信処理を示す。これらの情報発信処理は、月１回等の定期的または特定の時期に実行可能になっている。ユーザーの発注登録の際には、情報発信の希望有無が入力設定可能になっていて、希望者（参加者を含む。）のみに情報発信が可能になっている。
【００６７】
メインサーバー４による情報発信処理においては、一般ユーザー向けの情報発信を行う場合、ユーザー登録データから発信希望の有無を検索して発信可能な該当ユーザーの発信先の収集が行われる（ステップＳ６０、Ｓ６１）。該当ユーザーには、図１３に示した参加者も含まれる。収集した発信先に対して情報発信が実行される（ステップＳ６２）。会員サーバー５による情報発信処理においても、同様に、会員ユーザー向けの情報発信を行う場合、ユーザー登録データから発信希望の有無を検索して発信可能な該当会員ユーザーの発信先の収集が行われる（ステップＳ６５、Ｓ６６）。該当会員ユーザーには、図１３に示した参加者も含まれる。収集した発信先に対して情報発信が実行される（ステップＳ６７）。
【００６８】
本実施形態においては、登録に係る情報は、１つの受注につき、該受注に係る提供を享受する１以上のユーザーに関する顧客情報を含むので、１つの消費材およびレンタル機器材の受注を通じて顧客獲得の機会が増大して顧客情報の効率的な収集を行い、消費材およびレンタル機器材の複合販売取引を円滑に行え、多角的なネット取引を実行することができる。
【００６９】
さらに、本実施形態においては、上記の商品紹介情報提供手段により、登録に係る顧客情報に基づいて、ユーザー向けの商品紹介情報を提供することによって、各ユーザーに対する商品紹介情報を的確に提供でき、顧客獲得の拡充に有効な消費材機器材受注管理システムを実現することができる。
【００７０】
図９は、別の実施形態に係る消費材機器材受注管理システムの全体構成を示す。図９において、図１の前記実施形態と同一または実質的に同一の機能構成については同じ符号を付している。
【００７１】
図９に示す実施形態は、メインサーバー４と通信可能に接続された、会員管理端末としての会員サーバー５ａが、メインサーバー４とは別に消費材機器材受注処理機能を有する消費材機器材受注管理システムである。
【００７２】
会員サーバー５ａは、通信回線１０を介してユーザー端末２とネット通信可能に、通信ライン１ｂを通じて接続されている。
【００７３】
図１０は、図９の実施形態に係る消費材機器材受注管理システムにおける受注処理の概要を示す。
【００７４】
図２の前述の手順で示したユーザーからの発注があると、メインサーバー４は、会員による発注か否かを判断する（ステップＳ７０）。非会員の一般ユーザーによる発注の場合、メインサーバー４による受注処理が行われる（ステップＳ７２）。メインサーバー４による受注処理は、図３で示した受注処理（ステップＳ９）と同様に実行可能になっている。会員ユーザーによる発注の場合、メインサーバー４から、会員サーバー５ａに対して、会員処理の指示が当該会員ユーザーによる発注情報とともに送信されて、会員サーバー５ａによる受注処理が行われる（ステップＳ７１）。
【００７５】
図１３は、会員サーバー５ａによる主な受注処理の概要を示す。
【００７６】
会員サーバー５ａにより実行される処理機能には、発注会員ユーザーによる入力会員情報を管理するための会員情報処理（ステップＳ１０）、発注会員ユーザーのクレジット決裁内容を管理するための決裁処理（ステップＳ１１）、会員ユーザーの発注内容に基づく発注処理（ステップＳ１２）、主にレンタル機器材の返却管理を行うための受注管理処理（ステップＳ１３）および受注に係る支払管理を行うための支払管理処理（ステップＳ１４）が含まれている。各処理ステップＳ１０〜Ｓ１４は、会員情報を処理対象とする点を除き、それぞれ、メインサーバー４による処理（図４の処理ステップＳ１〜Ｓ５）と同様に実行可能になっている。すなわち、非会員の一般ユーザーによる発注の場合には、図４の発注処理が、メインサーバー４により実行され、また、会員ユーザーによる発注の場合には、図１３の発注処理が会員サーバー５ａにより実行される。
【００７７】
会員サーバー５ａによる発注処理においては、メインサーバー４による場合と同様に（図５参照）、ユーザー端末２から受信した登録データのうち、発注品目の食材および機器材を判別して、通信回線１０を介して該当食材メーカ（食材提供者）および該当機器材メーカ（機器材提供者）に発注が行われる。会員サーバー５ａによる発注処理の実行に際しては、メインサーバー４から受信した会員発注の登録データに基づいて食材提供者および機器材提供者への発注が行われる。すなわち、会員サーバー５ａは、メインサーバー４と同様に、発注手段として、登録データに係る消費材品目（食材品目）を第１通信端末５を通じて消費材提供者に発注する食材発注手段（図５のステップＳ２１〜Ｓ２５参照）と、該登録データに係る機器材品目を第２通信端末６を通じて機器材提供者に発注する機器材発注手段（図５のステップＳ２７〜Ｓ３１参照）を有している。該登録データには、品目
データ、ユーザー提供先データ、納品日データ等が含まれている。会員サーバー５ａによる食材および機器材の発注処理は、データファイル７に設けた、会員ユーザーの発注データファイルおよび食材（消費材）および機器材の在庫データファイルの記録、更新により実行可能になっている。会員サーバー５ａによる受注管理処理（ステップＳ１３）は、図６の受注管理処理と同様にして実行可能になっている。会員サーバー５ａによる支払管理処理（ステップＳ１４）は、図７の支払管理処理と同様にして実行可能になっている。特に、支払管理処理に関しては、前記実施形態と同様に、メインサーバー４により、会員・非会員の区別なく一括管理するようにしてもよい。
【００７８】
上記別の実施形態によれば、
（ｊ）管理装置１は、ユーザーを特定し得る会員ユーザー用識別データにより、会員ユーザーからの受注に関する発注および登録を行う会員管理端末（会員サーバー５ａ）を有し、
会員サーバー５ａは、
（ｋ）会員登録手段（ステップＳ１０）により、会員ユーザーからの受注に係る消費材品目および機器材品目を会員ユーザー別に登録し、
（ｌ）会員消費材発注手段（ステップＳ１２）により、会員登録手段による登録に係る消費材品目を第１通信端末１１を通じて消費材提供者に発注し、
（ｍ）会員機器材発注手段（ステップＳ１２）により、会員登録手段による登録に係る機器材品目を第２通信端末１２を通じて機器材提供者に発注し、
（ｎ）消費材提供者および機器材提供者から、会員ユーザーへの発注品目の提供済みデータを受信した場合、会員登録手段に登録し、機器材提供者から、会員ユーザーからの機器材品目の返却データを受信した場合、会員登録手段に登録することができるので、一般ユーザーとは別に識別管理される会員ユーザーに対しても、会員管理端末によって、消費材およびレンタル機器材の複合販売取引を円滑に行え、多角的なネット取引を実行することができる。
【００７９】
会員サーバー５ａは、会員情報に基づく情報発信機能を有することができる。
【００８０】
図１４は、会員サーバー５ａに付与した情報発信処理を示す。この情報発信処理は、月１回等の定期的または特定の時期に実行可能になっている。会員ユーザーの発注登録の際には、情報発信の希望有無が入力設定可能になっていて、希望者（参加者を含む。）のみに情報発信が可能になっている。
【００８１】
会員サーバー５ａによる情報発信処理においては、会員ユーザー向けの情報発信を行う場合、ユーザー登録データから発信希望の有無を検索して発信可能な該当ユーザーの発信先の収集が行われる（ステップＳ６５、Ｓ６６）。該当ユーザーには、図１３に示した参加者も含まれる。収集した発信先に対して情報発信が実行される（ステップＳ６７）。該当会員ユーザーには、図１３に示した参加者も含まれる。収集した発信先に対して情報発信が実行される（ステップＳ６７）。
【００８２】
登録に係る会員情報は、１つの受注につき、該受注に係る提供を享受する１以上のユーザーに関する顧客情報を含むので、会員サーバー５ａによる情報発信処理を付加することによって、１つの消費材およびレンタル機器材の受注を通じて顧客獲得の機会が増大して顧客情報の効率的な収集を行い、消費材およびレンタル機器材の複合販売取引を円滑に行え、多角的なネット取引を実行することができる。
【００８３】
本発明は、上記実施形態や変形例に限定されるものではなく、本発明の技術的思想を逸脱しない範囲における種々変形例、設計変更などをその技術的範囲内に包含するものであることは云うまでもない。
【産業上の利用可能性】
【００８４】
本発明によれば、例えば、食材および食材に関連した機器材の受注に関する受注管理の円滑化・効率化を実現して、多角的なネット販売取引を行え、該取引業態の活性化に貢献することができる。
【符号の説明】
【００８５】
１          管理装置
１ａ        通信ライン
１ｂ        通信ライン
２          ユーザー端末
３          協力部門端末
４          メインサーバー
５          会員サーバー
５ａ        会員サーバー
６          データファイル
７          データファイル
８          パソコン
９          携帯電話機
１０          通信回線
１１          第１通信端末
１２          第２通信端末
１３          通信端末
１４          通信端末
１５          通信端末
【図１】
2017182467.tif 000003
【図２】
2017182467.tif 000004
【図３】
2017182467.tif 000005
【図４】
2017182467.tif 000006
【図５】
2017182467.tif 000007
【図６】
2017182467.tif 000008
【図７】
2017182467.tif 000009
【図８】
2017182467.tif 000010
【図９】
2017182467.tif 000011
【図１０】
2017182467.tif 000012
【図１１】
2017182467.tif 000013
【図１２】
2017182467.tif 000014
【図１３】
2017182467.tif 000015
【図１４】
2017182467.tif 000016